(57)【要約】      （修正有）【課題】生まれた年から極めて簡易な作業により一目で年齢を把握することのできる年齢早見尺を提供する。【解決手段】生まれた年から年齢を把握するための長尺の年齢早見尺１は、長手方向に所定の間隔で１歳毎に形成された年齢印と、所定の年齢印の傍に形成された年齢数値とを含む年齢目盛２５を有するスライド体２０と、スライド体を長手方向にスライド自在に保持すると共に、長手方向に所定の間隔と同じ間隔で１年ごとに形成された暦印と、所定の暦印の傍に形成された暦数値とを含む暦目盛１５、１７を有するガイド本体１０と、を備える。【選択図】図１
0003226839.tif 000002
【実用新案登録請求の範囲】
【請求項１】
生まれた年から年齢を把握するための長尺の年齢早見尺において、
長手方向に所定の間隔で1歳毎に形成された年齢印と、所定の前記年齢印の傍に形成された年齢数値とを含む年齢目盛を有するスライド体と、
前記スライド体を前記長手方向にスライド自在に保持すると共に、前記長手方向に前記所定の間隔と同じ間隔で1年ごとに形成された暦印と、所定の前記暦印の傍に形成された暦数値とを含む暦目盛を有するガイド本体と、
を備えることを特徴とする年齢早見尺。
【請求項２】
前記暦目盛は、前記長手方向において、対応する同じ暦年が同じ位置に設置されるように前記長手方向に並列に形成された和暦目盛と西暦目盛とを備えることを特徴とする請求項１記載の年齢早見尺。
【考案の詳細な説明】
【技術分野】
【０００１】
本考案は、生まれた歳から年齢を把握できる年齢早見尺に関する。
【背景技術】
【０００２】
従来から、生まれた年から現在等の年齢を素早く把握するための年齢早見表（年齢早見板）が多数提供されており、例えば、下記特許文献１〜３に開示されたものが知られている。
【先行技術文献】
【特許文献】
【０００３】
【特許文献１】特開２０００−３０５６５１号公報
【特許文献２】特開平７−３７６６５号公報
【特許文献３】登録実用新案第３１６３２３０号公報
【考案の概要】
【考案が解決しようとする課題】
【０００４】
しかし、従来の年齢早見表（年齢早見板）は、情報量が多くて複雑であるため、生まれた年から年齢を把握するまでに手間と時間がかかる。
【０００５】
本考案は、上記課題を解決するためになされたものであり、生まれた年から極めて簡易な作業により一目で年齢を把握することのできる年齢早見尺を提供することを目的とする。
【課題を解決するための手段】
【０００６】
上記課題を解決するために、本考案に係る年齢早見尺は、生まれた年から年齢を把握するための長尺の年齢早見尺において、長手方向に所定の間隔で1歳毎に形成された年齢印と、所定の前記年齢印の傍に形成された年齢数値とを含む年齢目盛を有するスライド体と、前記スライド体を前記長手方向にスライド自在に保持すると共に、前記長手方向に前記所定の間隔と同じ間隔で1年ごとに形成された暦印と、所定の前記暦印の傍に形成された暦数値とを含む暦目盛を有するガイド本体と、を備えることを特徴とする。
【考案の効果】
【０００７】
本考案に係る年齢早見尺によれば、生まれた年にスライド体の年齢目盛を合わせるようにスライドさせるだけで、一目で年齢を把握することができる。
【図面の簡単な説明】
【０００８】
【図１】図１は、本考案の実施形態に係る年齢早見尺の平面図である。
【図２】図２は、本考案の実施形態に係る年齢早見尺の側面図である。
【図３】図３は、本考案の実施形態に係るガイド本体の平面図である。
【図４】図４は、本考案の実施形態に係るスライド体の平面図である。
【図５】図５は、本考案の実施形態に係る年齢早見尺の使用状態を示す図である。
【考案を実施するための形態】
【０００９】
以下、図面を参照しながら、本考案の実施形態について詳細に説明する。本実施形態に係る年齢早見尺１は、ガイド本体１０と、ガイド本体１０に対してスライド自在に設置されたスライド体２０とを備えている。ガイド本体１０及びスライド体２０はプラスチック製である。
【００１０】
年齢早見尺１は、全体として長尺板形状であり、長尺板形状のガイド本体１０及びスライド体２０は長手方向の長さが同じであり、幅方向の長さはガイド本体１０によりスライド自在に挟持されるスライド体２０が僅かに短い。
【００１１】
ガイド本体１０は、長方形板の長手方向に延在する両側長辺縁部を略180°折り返した構造となっており、土台部１１と折返し部１２とを備える。スライド体２０は、図２に示すように、土台部１１と折返し部１２との間にスライド自在に挟まれており、ガイド本体１０の両側の折返し部１２の間の隙間開口１３において、上方から見えるようにスライド体２０の表面が露出している。
【００１２】
両側に位置する2つの折返し部１２の表面には、暦目盛１５，１７が印字により形成されている。暦目盛１５，１７は、長手方向に1年ごとに所定の間隔で形成された暦印１５ａ，１７ａと、所定の暦印１５ａ，１７ａの傍に形成された暦数値１５ｂ，１７ｂとから構成されている（図３参照）。
【００１３】
一方側の折返し部１２には、西暦目盛１５が形成され、他方側の折返し部１２には和暦目盛１７が形成されている。西暦目盛１５と和暦目盛１７とは、長手方向において同じ位置に暦印１５ａ，１７ａが形成されている。
【００１４】
西暦数値１５ｂのうち、4桁で示されているのは、「2000」だけであり、その他は、5年間隔で「10」、「15」、「20」等の下二桁のみが西暦数値１５ｂとして印字されている。なお、10の位が0となる、西暦1907年、2005年については、下一桁「7」、「5」のみが印字されている。また、和暦数値１７ｂは、一桁又は二桁で印字され、和暦数値１７ｂの所定の場所には、元号も印字されている。
【００１５】
西暦目盛１５と和暦目盛１７とは、ガイド本体１０の長手方向において、対応する同じ暦年が同じ位置に設置され、西暦目盛１５と和暦目盛１７の同じ暦年が幅方向に対向している。すなわち、西暦目盛１５の1975年を意味する「75」の位置には、対向する長手方向の同じ位置に和暦目盛１７の昭和50年を意味する「50」が設置されている。
【００１６】
スライド体２０は、長尺の長方形状板であり、その上面には、年齢目盛２５が印字により形成されている。年齢目盛２５は、長手方向に1歳ごとに所定の間隔で形成された年齢印２５ａと、所定の年齢印２５ａの傍に形成された年齢数値２５ｂとから構成されている（図４参照）。
【００１７】
年齢数値２５ｂは、スライド体２０の幅方向の中心において、長手方向に順次一列に印字されている。本実施形態では、年齢数値２５ｂは、0歳から5歳刻みで「0」、「5」、「10」、「15」、…、「145」まで形成されている。年齢印２５ａは、年齢数値２５ｂの両側において長手方向に延在して設置されている。
【００１８】
ここで、ガイド本体１０側の暦目盛１５，１７の各暦印１５ａ，１７ａは、幅方向に平行な直線であり、その内側端は、隙間開口１３との境界端部に到達するように形成されている。また、スライド体２０側の年齢目盛２５の各年齢印２５ａは、同じく幅方向に平行な直線であり、幅方向において隙間開口１３よりも広く形成されている。
【００１９】
よって、スライド体２０をガイド本体１０に対して長手方向にスライドさせ、同じ間隔で形成されている暦印１５ａ，１７ａと、隙間開口１３から露出する年齢印２５ａとが長手方向において同じ位置となった際には、暦印１５ａ，１７ａと年齢印２５ａは、幅方向に一つの線としてつながり、一目で見やすい。
【００２０】
以上、年齢早見尺１の構成について説明したが、続いて、年齢早見尺１の使用方法について説明する。なお、図１に示す年齢早見尺１の初期位置では、スライド体２０がガイド本体１０から長手方向に飛び出しておらず、年齢目盛２５の年齢0歳の年齢印２５ａが、西暦目盛１５の1907年の西暦印１５ａ及び和暦目盛１７の明治40年の和暦印１７ａの所に位置している。
【００２１】
図５は、和暦で昭和40年、西暦で1965年生まれの人が何歳であるかを把握する際のスライド体２０のスライド位置を示している。昭和40年生まれの人の今の年齢を早見する際には、まず、スライド体２０をスライドさせることで、年齢目盛２５の年齢0歳の年齢印２５ａをガイド本体１０の和暦目盛１７の昭和40年に相当する和暦印１７ａの所に位置させる。
【００２２】
もちろん、和暦目盛１7の代わりに西暦目盛１５の1965年に相当する西暦印１５ａの所に位置させるようにしても良く、ガイド本体１０とスライド体２０との相対位置は同じである。
【００２３】
その後、和暦目盛１７又は西暦目盛１５の今年（例えば、令和2年又は2020年）の和暦印１７ａ又は西暦印１５ａの所に位置する年齢目盛２５の年齢印２５ａの数値が今年の年齢となる。なお、早見している日が誕生日前である場合には、把握した年齢から1歳引くと早見している時点での年齢となる。
【００２４】
また、年齢早見尺１によれば、過去の時点での年齢を把握することもできる。例えば、昭和40年、西暦で1965年生まれの人に対して、図５に示すスライド位置において、平成1年（西暦1989年）の所に位置する年齢印２５ａの数値を見れば24歳であり、昭和40年生まれの人が平成1年のときに24歳であることを一目で把握できる。
【００２５】
以上、本考案の実施形態について詳細に説明したが、本考案は上記実施形態に限定されるものではなく、本考案の主旨を逸脱しない範囲内で種々の変形が可能である。例えば、年齢早見尺を構成する部材の形状やサイズ、素材等は適宜変更可能である。
【符号の説明】
【００２６】
１      年齢早見尺
１０    ガイド本体
１１    土台部
１２    折返し部
１３    隙間開口
１５    西暦目盛
１５ａ  西暦印
１５ｂ  西暦数値
１７    和暦目盛
１７ａ  和暦印
１７ｂ  和暦数値
２０    スライド体
２５    年齢目盛
２５ａ  年齢印
２５ｂ  年齢数値
【図１】
0003226839.tif 000003
【図２】
0003226839.tif 000004
【図３】
0003226839.tif 000005
【図４】
0003226839.tif 000006
【図５】
0003226839.tif 000007